(57)【要約】【課題】  冗長化された通信回線を用いた通信において、現使用系を含む全通信回線の健全性を自装置に接続する通信機器に通知可能なネットワーク回線多重化装置を提供すること。【解決手段】  通信機器間を、現在使用している現使用系通信回線と、現使用系に故障等が起こった場合に切り替えて使用される予備系通信回線とからなる多重化された通信回線で接続させるためのネットワーク回線多重化装置であって、前記現使用系を含む全通信回線及び通信先の通信機器の健全性を常に監視し、該監視結果を経路状態情報として記憶する通信回線監視手段と、前記経路状態情報を、前記多重化装置に直接接続する通信機器に通知する経路状態情報通知手段と、を備える。【選択図】図１
2006352713.tif 000002
【特許請求の範囲】
【請求項１】
通信機器間を、現在使用している現使用系通信回線と、現使用系に故障等が起こった場合に切り替えて使用される予備系通信回線とからなる多重化された通信回線で接続させるためのネットワーク回線多重化装置であって、
前記現使用系を含む全通信回線及び通信先の通信機器の健全性を常に監視し、該監視結果を経路状態情報として記憶する通信回線監視手段と、
前記経路状態情報を、前記多重化装置に直接接続する通信機器に通知する経路状態情報通知手段と、
を備えることを特徴とするネットワーク回線多重化装置。
【請求項２】
通信機器間を、現在使用している現使用系通信回線と、現使用系に故障等が起こった場合に切り替えて使用される予備系通信回線とからなる多重化された通信回線で接続させるためのネットワーク回線多重化装置であって、
前記回線多重化装置のローカルポートに接続された前記通信機器から送信されたデータを多重化されている通信回線のうちの一つの通信回線に中継、送信し、また多重化されているいずれかの通信回線から受信したデータを前記通信機器に中継、送信する、ユーザデータ中継手段と、
前記ユーザデータ中継手段が中継するデータのヘッダ部から、前記回線多重化装置のローカルポートに接続された前記通信機器のＭＡＣアドレスおよびＩＰアドレスを取得、記憶し、また、該通信機器にローカルポートからＰＩＮＧコマンドを送信し、応答を受信するか否かに基づいて該通信機器自体の故障を検出しその状態を記憶する、接続機器認識手段と、
前記回線多重化装置のローカルポートに接続された前記通信機器と通信している全ての通信機器までの経路状態等を経路状態情報として格納する経路状態情報格納手段と、
前記回線多重化装置のローカルポートに接続された前記通信機器から送信されるデータと同じ宛先に経路状態問合せ要求を送信し、該要求に対する応答を受信し、該応答データ内容を経路状態情報として前記経路状態情報格納手段に格納し、また、該経路状態問合せ要求を受信した場合には、前記接続機器認識手段が記憶するＭＡＣアドレス及びＩＰアドレスを用いて応答データを作成し送信する、経路状態検知手段と、
前記回線多重化装置のローカルポートに接続された前記通信機器に、前記経路状態情報格納手段に格納されている経路状態情報を送信する、ネットワーク経路状態情報通知手段と、
を備えることを特徴とするネットワーク回線多重化装置。
【発明の詳細な説明】
【技術分野】
【０００１】
本発明は、通信機器間を、現使用系通信回線と予備系通信回線とからなる多重化された通信回線で接続させるためのネットワーク回線多重化装置に関わり、更に詳しくは経路状態情報を自装置に直接接続している通信機器に通知することの可能なネットワーク回線多重化装置に関する。
【背景技術】
【０００２】
現在普及している通信ネットワークには、物理層及び通信プロトコルとしていろいろなものが存在しているが、Ｅｔｈｅｒｎｅｔ（イーサネット）（登録商標）、とＴＣＰ／ＩＰまたはＵＤＰ／ＩＰの組み合わせが一般的である。
【０００３】
ネットワークの冗長化についてはスイッチングハブ（ＳＷ−ＨＵＢ）を使用した、ＳＴＰ（Spanning Tree Protocol, スパニングツリープロトコル）などによる方法がある。ＳＴＰは、ＳＷ−ＨＵＢ接続を閉ループ構成とし、そのループ内の１ポートの中継機能を停止するものである。この中継機能を停止するポートをどの位置にするかを制御することで、回線上の一箇所故障についてはシステムに影響を与えないものとしてネットワークの冗長化を実現することが可能である。
【０００４】
もっと広い範囲のネットワークの冗長化については、ルータを使用した、ＲＩＰ（Routing Information Protocol）またはＯＳＰＦ（Open Shortest Path First）などによる方法がある。この場合、さまざまな通信経路を使用することができるが、回線の冗長化はルータまでとなる。
【０００５】
更に他のネットワークの冗長化の例として、特許文献１や特許文献２のように、通信機器とハブをＥｔｈｅｒｎｅｔ（イーサネット）（登録商標）で接続し、ハブの先の回線を主系、従系（予備系）の二重化された通信回線から成るように構成された通信多重化システムなどがある。
【０００６】
しかしながら、上述のネットワークの冗長化の方法では、通信データは冗長化された回線で通信されるものの、予備系となっている回線は健全なのかの情報を通信機器上のプログラムでは認識ができない。つまりは冗長化回線上に故障があっても実通信上正常通信を維持するため、オペレータが認識できず、故障箇所に対して的確な予防保全的処置が実行できないという問題がある。
【特許文献１】特開２００４−１２００４２号公報
【特許文献２】特開平１０−３１３３４８号公報
【発明の開示】
【発明が解決しようとする課題】
【０００７】
そこで本発明の課題は、上述の問題点に鑑み、冗長化された通信回線を用いた通信において、現使用系を含む全通信回線の健全性を自装置に接続する通信機器に通知可能なネットワーク回線多重化装置を提供することにある。
【課題を解決するための手段】
【０００８】
上述した課題を解決するために、本発明では現使用系を含む全ての通信回線についてその健全性を監視し、該観察結果を経路状態情報として記憶し、該記憶した経路状態情報を通信機器に通知するようにした。
【０００９】
本発明の一態様によれば、通信機器間を、現在使用している現使用系通信回線と、現使用系に故障等が起こった場合に切り替えて使用される予備系通信回線とからなる多重化された通信回線で接続させるためのネットワーク回線多重化装置であって、前記現使用系を含む全通信回線及び通信先の通信機器の健全性を常に監視し、該監視結果を経路状態情報として記憶する通信回線監視手段と、前記経路状態情報を、前記多重化装置に直接接続する通信機器に通知する経路状態情報通知手段と、を備えることを特徴とする。これにより、オペレータは通知される経路状態情報から現使用系、予備系すべての通信回線における故障箇所を把握することが可能となる。
【００１０】
したがって、正常な通信を行いながら、オペレータは予備系の故障箇所などに対して、的確に予防保全的処置を行うことが可能となる。
本発明の一態様によれば、通信機器間を、現在使用している現使用系通信回線と、現使用系に故障等が起こった場合に切り替えて使用される予備系通信回線とからなる多重化された通信回線で接続させるためのネットワーク回線多重化装置であって、前記回線多重化装置のローカルポートに接続された前記通信機器から送信されたデータを多重化されている通信回線のうちの一つの通信回線に中継、送信し、また多重化されているいずれかの通信回線から受信したデータを前記通信機器に中継、送信する、ユーザデータ中継手段と、前記ユーザデータ中継手段が中継するデータのヘッダ部から、前記回線多重化装置のローカルポートに接続された前記通信機器のＭＡＣアドレスおよびＩＰアドレスを取得、記憶し、また、該通信機器にローカルポートからＰＩＮＧコマンドを送信し、応答を受信するか否かに基づいて該通信機器自体の故障を検出しその状態を記憶する、接続機器認識手段と、前記回線多重化装置のローカルポートに接続された前記通信機器と通信している全ての通信機器までの経路状態等を経路状態情報として格納する経路状態情報格納手段と、前記回線多重化装置のローカルポートに接続された前記通信機器から送信されるデータと同じ宛先に経路状態問合せ要求を送信し、該要求に対する応答を受信し、該応答データ内容を経路状態情報として前記経路状態情報格納手段に格納し、また、該経路状態問合せ要求を受信した場合には、前記接続機器認識手段が記憶するＭＡＣアドレス及びＩＰアドレスを用いて応答データを作成し送信する、経路状態検知手段と、前記回線多重化装置のローカルポートに接続された前記通信機器に、前記経路状態情報格納手段に格納されている経路状態情報を送信する、ネットワーク経路状態情報通知手段と、を備えることを特徴とする。
【００１１】
これにより、オペレータは経路状態情報から現使用系、予備系すべての通信回線における故障箇所を把握することが可能となる。したがって、正常な通信を行いながら、オペレータは予備系の故障箇所などに対して、的確に予防保全的処置を行うことが可能となる。
【発明の効果】
【００１２】
本発明によれば、冗長化されたネットワーク、すなわち多重化された通信回線を介した通信において、オペレータは、現使用系通信回線上の故障だけでなく、待機状態にある予備系通信回線における故障箇所も把握することができる。よって、正常なシステム運用を継続しながら、予備系通信回線上の故障箇所に対しても予め的確に保全処置をしておくことが可能となる。
【発明を実施するための最良の形態】
【００１３】
以下、図面を参照して、本発明の実施の形態について説明する。
図１は、本発明の回線多重化装置１の原理構成を示す図である。
本発明の回線多重化装置１は、通信機器４と直接接続し、該通信機器４の相手通信機器（不図示）までの通信回線を多重化された通信回線（通信回線Ｉ５−１、通信回線ＩＩ５−２）で接続させる役割を果たす。
【００１４】
回線多重化装置１は、通信機器１自体の健全性の監視、および、回線Ｉ，ＩＩの健全性の監視を行い、該監視結果を経路状態情報として記憶する通信回線監視手段２と、該通信回線監視手段２によって記憶された経路状態情報を通信機器４に通知する経路状態情報通知手段３とを備えて成る。
【００１５】
以下、本発明の回線多重化装置について、図２に示す多重化回線を例に、より詳細に説明する。図２において、回線の二重化を必要とする各通信機器は、回線多重化装置を二つのスイッチングハブ）との間に接続する。すなわち、回線多重化装置Ｕ（Ｎ１）のＬＯＣＡＬ−ＰＯＲＴに通信機器Ｎ−１が接続し、該ＬＯＣＡＬ−ＰＯＲＴの反対側にはＡ−ＰＯＲＴ，Ｂ−ＰＯＲＴが備えられており、それぞれ回線Ａ，回線Ｂが接続する。回線Ａ，回線Ｂには、それぞれスイッチングハブＳＷ（Ａ１，Ｂ１），ルータＲ（Ａ１，Ｂ１），ルータＲ（Ａ２．Ｂ２），スイッチングハブＳＷ（Ａ２，Ｂ２）の順に各機器が接続し、相手側の回線多重化装置Ｕ（Ｎ２）のＡ−ＰＯＲＴ，Ｂ−ＰＯＲＴに終結する。回線多重化装置Ｕ（Ｎ２）も回線多重化装置Ｕ（Ｎ１）と同一な構成で、該装置のＬＯＣＡＬ−ＰＯＲＴに通信機器Ｎ−２が接続する。通信機器Ｎ−２は、通信機器Ｎ−１の相手先通信機器である。この例では、主系（現使用系）回線として回線Ａ，従系（予備系）回線として回線Ｂとする。通信機器Ｎ−１と通信機器Ｎ−２の間の通信は通常は主系回線を使用し、主系上に何かしらの故障が発生した場合には従系（予備系）を使用して通信を継続可能とするものである。
【００１６】
そして、図３は、回線多重化装置（Ｕ（Ｎ１），Ｕ（Ｎ２））のより詳しい構成を示す図である。回線多重化装置は、ユーザデータ中継部３１、接続機器認識部３２、経路状態検知部３３、経路状態情報格納部３４、ネットワーク経路状態情報通知部３５を備える。尚、図１と図３の対応関係は、接続機器認識部３２及び経路状態検知部３３及び経路状態情報格納部３４が通信回線監視手段２に相当し、ネットワーク経路状態情報通知部３５が経路状態情報通知部３に相当することになる。
【００１７】
以下、各部の機能を順に説明する。
（１）ユーザデータ中継部３１
ユーザデータ中継部３１は、回線多重化装置のＬＯＣＡＬ−ＰＯＲＴに接続された通信機器から送信されたデータを回線Ａまたは回線Ｂへ中継し、送信する機能、および回線Ａまたは回線Ｂから受信したデータをＬＯＣＡＬ−ＰＯＲＴ接続の通信機器に中継し送信する機能を有する。
【００１８】
（２）接続機器認識部３２
ＬＯＣＡＬ−ＰＯＲＴ接続の通信機器が何かしらのデータを送信する場合には、必ず自装置を経由することになる。よって、接続機器認識部３２は、装置のＬＯＣＡＬ−ＰＯＲＴから回線Ａまたは回線Ｂに中継するデータパケット、すなわち上述のユーザデータ中継部３１を通過するデータパケットのヘッダ部を観測することで、接続通信機器のＭＡＣアドレス、ＩＰアドレスを知ることが可能である。ここで得た両アドレスを常に更新するとともに、接続機器認識部３２内に記憶する。
【００１９】
また、接続機器認識部３２はＬＯＣＡＬ−ＰＯＲＴの物理的な接続状態をチェックし、ＬＯＣＡＬ−ＰＯＲＴと通信機器間の接続状態を認識し、ここでの故障（未接続）を検出し、その状態を記憶する。
【００２０】
さらに、接続機器認識部３２はＬＯＣＡＬ−ＰＯＲＴから通信機器にＰＩＮＧコマンドを送信し、応答を受信できるかをチェックすることにより通信機器自体の健全性のチェックを行い、通信機器自体の故障を検出し、その状態を記憶する。この通信機器自体の健全性のチェックは、周期的に実施し、常に最新の状態を管理する。
【００２１】
（３）経路状態検知部３３
図４に経路状態検知部３３の詳細構成を示す。ＬＯＣＡＬ−ＰＯＲＴ接続通信機器から送信されるデータと同じ宛先に「経路状態問合せ要求」を自装置から送信する問合せ要求送信部４１、該要求に対する応答データを受信する応答データ受信部４２、該応答データ内容を保存、管理し、経路状態情報格納部３４に情報を格納する応答データ管理部４３を備え、また問合せ要求を受信した場合には応答データを作成し、送信する応答データ作成・送信部４４を備える。
【００２２】
問合せ要求送信部４１で作成される「経路状態問合せ要求」は、ＵＤＰデータ構造で、ポート番号に「経路状態問合せ要求」である意の番号を指定したもので送信される。
問合せ要求データ作成において、送信先ＩＰアドレスには、相手側の回線多重化装置のアドレスではなく目的通信機器のアドレスを使用する。また、問合せ要求の送信元ＩＰアドレス、ＭＡＣアドレスには、自装置のアドレスではなく、自装置に接続する通信機器のアドレスを使用する。これにより本来のユーザデータの通過する経路と同じ経路を通って目的の通信機器までデータ伝送が行われることになる。
【００２３】
「経路状態問合せ要求」が、ＬＯＣＡＬ−ＰＯＲＴ接続通信機器から送信されたデータと同じ経路を通って、相手通信機器が接続される回線多重化装置の経路状態検知部３３の応答データ作成・送信部４４によって受信されると、該応答データ作成・送信部４４は、接続機器認識部３２に記憶されている、ＬＯＣＡＬ−ＰＯＲＴに接続された通信機器のアドレス情報およびその接続状態を含んだ応答データを作成し、送信元に返信する。すなわち、要求を受信した回線多重化装置は、ＩＰアドレスが示す通信機器に要求データを中継することなく、該要求を自装置内に取り込み、応答処理などの処理を行う。応答データの作成についても、問合せ要求と同様に、送信先ＩＰアドレスには、応答先回線多重化装置に接続されている通信機器のアドレスを使用し、送信元ＩＰアドレス、ＭＡＣアドレスには、自装置に接続されている通信機器のアドレスを使用する。
【００２４】
「経路状態問合せ要求」を送信した回線多重化装置の応答データ受信部４２が応答データを受信すると、この内容を応答データ管理部４３に伝達し、該データは経路状態情報格納部３４に格納できるデータ形式に変換され、また、現在使用している回線の情報とともに、経路状態情報格納部３４に格納される。現在使用している回線の情報は、ユーザデータ中継部３１がデータを中継している送信先通信回線を参照すれば取得することができる。
【００２５】
図５に、図２の多重化回線を例に、問合せ要求／応答のやり取りの概略を示した。すなわち、問合せ要求が回線多重化装置Ｕ（Ｎ１）から送信されると、該要求に対する応答は相手先通信機器Ｎ−２が接続する回線多重化装置Ｕ（Ｎ２）から返信される。問合せ要求のデータ構造、問合せ応答のデータ構造はそれぞれ図に示すようになっており、問合せ要求の場合、送信先ＩＰアドレスは通信機器Ｎ−２のアドレス、送信元ＩＰアドレス・ＭＡＣアドレスは通信機器Ｎ−１のアドレスとなっていて、問合せ応答の場合、送信先ＩＰアドレスは通信機器Ｎ−１のアドレス、送信元ＩＰアドレス・ＭＡＣアドレスは通信機器Ｎ−２のアドレスとなっている。
【００２６】
また、図５の問合せ要求、問合せ応答のデータ構造にはデータの送信先通信機器、送信元通信機器を示すＩＰアドレス、ＭＡＣアドレスのみ示したが、問合せ要求データ、問合せ応答データそれぞれは例えば以下のような情報を更に含んで構成される。
○問合せ要求データに含まれる情報の一例
・要求元回線多重化装置のＩＰアドレス
・要求元回線多重化装置に接続する通信機器のＩＰアドレス
・本要求データ送信回線（Ａ回線か？Ｂ回線か？）
・要求元回線多重化装置のＰＯＲＴ状態（ＬＯＣＡＬ−ＰＯＲＴ，Ａ−ＰＯＲＴ，Ｂ−ＰＯＲＴがそれぞれＬＩＮＫ  ＵＰか？ＬＩＮＫ  ＤＯＷＮか？）
・要求元回線多重化装置に接続する通信機器の健全性
○問合せ応答データに含まれる情報の一例
・応答元回線多重化装置のＩＰアドレス
・応答元回線多重化装置に接続する通信機器のＩＰアドレス
・本応答データ送信回線（Ａ回線か？Ｂ回線か？）
・応答元回線多重化装置のＰＯＲＴ状態（ＬＯＣＡＬ−ＰＯＲＴ，Ａ−ＰＯＲＴ，Ｂ−ＰＯＲＴがそれぞれＬＩＮＫ  ＵＰか？ＬＩＮＫ  ＤＯＷＮか？）
・応答元回線多重化装置に接続する通信機器の健全性
このように、回線多重化装置の経路状態検知部３３では、「経路状態問合せ要求」を、自装置のＬＯＣＡＬ−ＰＯＲＴに接続する通信機器から送信されるすべての送信相手に対してＡ回線及びＢ回線から送信し、それぞれの応答データを受信することで通信回線の健全性を確認し、また該応答データの内容から応答元通信機器の健全性などを知ることができる。すなわち、実際にＡ回線とＢ回線を使用して相手通信機器までのネットワーク経路の健全性を確認し、常に最新の経路状態情報を把握していることが可能である。
【００２７】
（４）経路状態情報格納部３４
経路状態情報格納部３４は、経路状態検知部３３によって収集された相手通信機器までのネットワーク経路の健全性を示す経路状態情報を格納、保存する。以下に経路状態情報の内容の一例を示す。尚、以下の経路状態情報は、各相手通信機器ごとに管理されるものである。また、この経路状態情報の具体例は、図６に後述する。
○経路状態情報の内容の一例
・相手通信機器ＩＰアドレス
・Ａ回線で相手通信機器までの経路健全性（ＯＫ／ＮＧ）
・Ｂ回線で相手通信機器までの経路健全性（ＯＫ／ＮＧ）
・相手通信機器が接続している回線多重化装置のＰＯＲＴ状態（ＬＯＣＡＬ−ＰＯＲＴ，Ａ−ＰＯＲＴ，Ｂ−ＰＯＲＴがそれぞれＬＩＮＫ  ＵＰか？ＬＩＮＫ  ＤＯＷＮか？）
・相手通信機器自体の健全性（ＯＫ／ＮＧ）
・現使用経路情報（Ａ回線か？Ｂ回線か？）
（５）ネットワーク経路状態情報通知部３５
ネットワーク経路状態情報通知部３５は、経路状態情報格納部３４に格納される経路状態情報を、自装置のＬＯＣＡＬ−ＰＯＲＴに接続する通信機器に送信する機能を有する。通信機器は、この情報を受信し、相手通信機器間の経路のどこに故障などの異常があるのかを認識することが可能となる。尚、ネットワーク経路状態情報通知部３５が通知するタイミングは、定期的に、能動的に通知するように構成してもよいし、オペレータなどが通信機器を介して経路状態情報の要求を行うとその要求に対応して該情報を応答として送信するように構成してもよい。
【００２８】
図６〜図８に、図２に例示した回線における故障検出可能箇所と経路状態情報の関係について具体的に示す。
図６は、回線多重化装置から通知される経路状態情報の例を示す図である。（４）の経路状態情報格納部３４のところで経路状態情報の内容の一例を示したが、図６はこれの具体例に対応する。
【００２９】
経路状態情報は、図６左から、相手通信機器ＩＰアドレス、Ａ回線で相手通信機器までの経路健全性（これはＡポートの状態と、Ａ回線の経路上の状態とから成る）、Ｂ回線での相手通信機器までの健全性（同様にＢポートの状態とＢ回線の経路上の状態とから成る）、相手通信機器が接続している回線多重化装置のＰＯＲＴの状態（Ｌ−ＰＯＲＴ，Ａ−ＰＯＲＴ，Ｂ−ＰＯＲＴそれぞれについてＬＩＮＫ  ＵＰか、ＤＯＷＮか？）、相手通信機器自体の健全性、現使用系回線（Ａ回線かＢ回線か？）とから成る。
尚、図６中のＫ２、Ｋ３，・・・、Ｋ９は、図７に示した回線上の故障検出可能箇所Ｋ２〜Ｋ９に対応するものである。
【００３０】
図８は、図７における通信機器Ｎ−１から認識可能な各故障箇所と、各故障箇所を特定できる経路状態情報を対応付けて示したものである。すなわち、通信機器Ｎ−１で、図８に示すような経路状態情報を受信した場合に、故障箇所を認識することが可能である。
通信機器Ｎ−１と回線多重化装置Ｕ（Ｎ１）間のケーブル抜け、または、回線多重化装置Ｕ（Ｎ１）自体の故障は、回線多重化装置Ｕ（Ｎ１）から経路状態情報が通知されないことから特定できる。図８では、通信機器Ｎ−１で情報が受信できないため、情報の中身はＯＫともＮＧとも判断できず“−”となっている。
【００３１】
また、回線多重化装置Ｕ（Ｎ１）のＡまたはＢポートケーブル抜け、または、スイッチングハブＳＷ（Ａ１またはＢ１）の故障、電断は、回線多重化装置Ｕ（Ｎ１）のＡまたはＢポートの未リンク情報から特定することができ、経路状態情報は、図８に示すようにＡ回線またはＢ回線のポート状態（Ｋ２／Ｋ３）がＮＧである場合がこれに相当する。
【００３２】
ルータＲ（Ａ１またはＢ１）〜Ｒ（Ａ２またはＢ２）の故障は、回線多重化装置Ｕ（Ｎ１）およびＵ（Ｎ２）のＡ，Ｂポートがリンク状態であるにも関わらず、該当回線からの経路状態問合せ応答が受信できないことから特定することができ、経路状態情報は図８に示すように、Ａ回線またはＢ回線の経路状態（Ｋ４〜Ｋ７）がＮＧである場合がこれに相当する。
【００３３】
スイッチングハブＳＷ（Ａ２またはＢ２）の故障、電断または回線多重化装置Ｕ（Ｎ２）のＡまたはＢポートケーブル抜けは、回線多重化装置Ｕ（Ｎ２）のＡまたはＢポートの未リンク情報から特定することができ、経路状態情報は、図８に示すように相手ノード情報のＡポート及びＢポートのＬＩＮＫ（Ｋ５／Ｋ６）がＮＧ（すなわちＬＩＮＫ  ＤＯＷＮである意）である場合がこれに相当する。
回線多重化装置Ｕ（Ｎ２）の故障は、ＡおよびＢの両回線から経路状態問合せ応答が受信されないことから特定することができ、経路状態情報は、図８に示すように回線多重化装置Ｕ（Ｎ１）のＡ，ＢポートのＬＩＮＫがＯＫ（すなわち、ＬＩＮＫ  ＵＰの意）であるがそれ以外がＮＧである場合がこれに相当する。
【００３４】
回線多重化装置Ｕ（Ｎ２）と通信機器Ｎ−２間のケーブル抜け、または通信機器Ｎ−２自体の故障は、回線多重化装置Ｕ（Ｎ２）でのＬＯＣＡＬ−ＰＯＲＴ接続機器の異常（未リンク）情報から特定することができ、経路状態情報は、図８に示すように相手ノード情報のＬＯＣＡＬ−ＰＯＲＴのＬＩＮＫ（Ｋ８／Ｋ９）および相手通信機器の状態（Ｋ９）がＮＧである場合がこれに相当する。
【００３５】
このように、ネットワーク経路状態情報通知部３５が通信機器に通知する経路状態情報から全経路上の故障箇所を特定、発見することが可能である。
以上（１）〜（５）に、図３に示した、回線多重化装置の各部について詳細に説明した。
【００３６】
本発明によれば、多重化された通信回線を介した通信において、オペレータは、現在使用している現使用系通信回線上の故障だけでなく、待機状態にある予備系通信回線における故障箇所も把握することが可能であるため、正常なシステム運用を継続しながら、予備系の故障箇所に対して的確に保全処置をしておくことが可能となる。
【００３７】
以上、本発明の回線多重化装置について詳細に説明したが、本発明は以上に述べたことに限定されるものではない。すなわち、本発明の要旨を逸脱しない範囲で様々の構成または形状をとることができることはいうまでもない。
【図面の簡単な説明】
【００３８】
【図１】本発明の原理構成を示す図である。
【図２】本発明における回線多重化の例を示す図である。
【図３】回線多重化装置の構成を示す図である。
【図４】経路状態検知部の詳細を説明する図である。
【図５】問合せ要求／応答のやりとりを示す図である。
【図６】回線多重化装置から通知される経路状態情報の例を示す図である。
【図７】図２に示した回線における故障検出可能箇所を示す図である。
【図８】通信機器Ｎ−１から認識可能な故障箇所と、それを特定できる経路状態情報を示す図である。
【符号の説明】
【００３９】
１      回線多重化装置
２      通信回線監視手段
３      経路状態情報通知手段
４      通信機器
５−１，５−２      回線
３１      ユーザデータ中継部
３２      接続機器認識部
３３      経路状態検知部
３４      経路状態情報格納部
３５      ネットワーク経路状態情報通知部
４１      問合せ要求送信部
４２      問合せ応答受信部
４３      応答データ管理部
４４      応答データ作成・送信部
Ｎ−１，Ｎ−２      通信機器
Ｕ（Ｎ１），Ｕ（Ｎ２）            回線多重化装置
ＳＷ（Ａ１）、ＳＷ（Ａ２），ＳＷ（Ｂ１），ＳＷ（Ｂ２）      スイッチングハブ
Ｒ（Ａ１），Ｒ（Ａ２），Ｒ（Ｂ１），Ｒ（Ｂ２）      ルータ
【図１】
2006352713.tif 000003
【図２】
2006352713.tif 000004
【図３】
2006352713.tif 000005
【図４】
2006352713.tif 000006
【図５】
2006352713.tif 000007
【図６】
2006352713.tif 000008
【図７】
2006352713.tif 000009
【図８】
2006352713.tif 000010